(57)【要約】【課題】下地部への取付強度を向上させることができるインサート付きハニカムパネル建材を提供する。【解決手段】インサート付きハニカムパネル１は、ハニカムコア２と、ハニカムコア２の両方の開口端を塞ぐように設けられた面板３Ａ，３Ｂと、一方の面板３Ａの外表面に設けられた建材４と、インサート５とを備え、他方の面板３Ｂ及びハニカムコア２を連続して貫通するように形成されたインサート設置穴６内にインサート５が設置されて当該インサート５が接着剤７により当該インサート設置穴６に固定されて構成されたことを特徴とする。【選択図】図１
0003204812.tif 000002
【実用新案登録請求の範囲】
【請求項１】
ハニカムコアと、ハニカムコアの両方の開口端を塞ぐように設けられた面板と、一方の面板の外表面に設けられた建材と、インサートとを備え、
他方の面板及びハニカムコアを連続して貫通するように形成されたインサート設置穴内にインサートが設置されて当該インサートが接着剤により当該インサート設置穴に固定されて構成されたことを特徴とするインサート付きハニカムパネル建材。
【請求項２】
インサート設置穴が、他方の面板及びハニカムコアを貫通して一方の面板に到達する有底穴により形成され、
インサートが台座を備え、インサート設置穴内に設置されたインサートの台座が一方の面板に載置された状態で当該インサートがインサート設置穴に固定されていることを特徴とする請求項１に記載のインサート付きハニカムパネル建材。
【考案の詳細な説明】
【技術分野】
【０００１】
本考案は、ハニカムパネルの一方の外表面に建材が取付けられたハニカムパネル建材に関し、特に、インサートを備えたインサート付きハニカムパネル建材に関する。
【背景技術】
【０００２】
ハニカムコア（蜂の巣形状の構造体）の高さ方向の両方の端面に面板が貼られて構成され、例えば外壁パネル等として使用されるハニカムパネルが知られている（特許文献１等参照）。
当該ハニカムパネルは、例えば、石膏ボード面等により形成される下地面等の下地部に接着剤で取付けられる。
【先行技術文献】
【特許文献】
【０００３】
【特許文献１】特開平８−１５８５３４号公報
【考案の概要】
【考案が解決しようとする課題】
【０００４】
上述したように、接着剤を用いてハニカムパネルを下地部に取付ける構造の場合、ハニカムパネルの下地部への取付強度の面で課題がある。特に、ハニカムパネルの表面に外壁材、床仕上げ材、内装仕上げ材等となる石や鉄等の重い建材が貼り付けられて構成されたハニカムパネル建材の場合、ハニカムパネル建材自体が重くなり、当該ハニカムパネル建材を下地部に接着剤で取付ける構造では、ハニカムパネル建材の下地部への取付強度が弱くなる可能性がある。
本考案は、上記課題に鑑みてなされたものであって、下地部への取付強度を向上させることができるインサート付きハニカムパネル建材を提供するものである。
【課題を解決するための手段】
【０００５】
本考案に係るインサート付きハニカムパネル建材は、ハニカムコアと、ハニカムコアの両方の開口端を塞ぐように設けられた面板と、一方の面板の外表面に設けられた建材と、インサートとを備え、他方の面板及びハニカムコアを連続して貫通するように形成されたインサート設置穴内にインサートが設置されて当該インサートが接着剤により当該インサート設置穴に固定されて構成されたことを特徴とするので、下地部への取付強度を向上させることができるインサート付きハニカムパネル建材を得ることができる。
また、インサート設置穴が、他方の面板及びハニカムコアを貫通して一方の面板に到達する有底穴により形成され、インサートが台座を備え、インサート設置穴内に設置されたインサートの台座が一方の面板に載置された状態で当該インサートがインサート設置穴に固定されていることを特徴とするので、下地部に対する取付精度を高くできるインサート付きハニカムパネル建材となる。
【図面の簡単な説明】
【０００６】
【図１】インサート付きハニカムパネル建材の斜視図。
【図２】インサート付きハニカムパネル建材の断面図。
【図３】インサート付きハニカムパネル建材の分解斜視図。
【図４】インサート付きハニカムパネル建材を用いた外壁構造を示す断面図。
【考案を実施するための形態】
【０００７】
図１乃至図３に示すように、実施形態に係るインサート付きハニカムパネル建材１は、ハニカムコア２と、ハニカムコア２の両方の開口端２Ａ，２Ｂを塞ぐように設けられた面板（スキンプレート）３Ａ，３Ｂと、一方の面板３Ａの外表面（他方の板面）３１に設けられた建材４と、インサート５とを備え、他方の面板３Ｂ及びハニカムコア２を連続して貫通するように設けられたインサート設置穴６内にインサート５が設置されて当該インサート５が接着剤７により当該インサート設置穴６に固定され、建築構造の下地部８（図４参照）に設けられた連結部材９（図４参照）がインサート５に連結されることにより、下地部８に取付けられるように構成されたものである。
【０００８】
図３に示すように、ハニカムコア２は、互いに隣り合う例えば断面六角形状の複数の六角筒２１，２１…により蜂の巣形状となるように構成されたハニカム構造体である。即ち、ハニカムコア２は、互いに隣り合う六角筒２１，２１…の筒壁同士が繋がって、各六角筒２１，２１…の中心軸２２，２２…がそれぞれ平行となるように構成されている。
ハニカムコア２を構成する各六角筒２１，２１…は、例えば、アルミニウム等の金属、樹脂、紙等で形成された薄い板材で構成されている。
【０００９】
面板３Ａ，３Ｂは、例えばＦＲＰ等の樹脂、金属、紙等で形成された例えば厚さ数ｍｍ程度の薄い板材で構成されている。
ハニカムコア２の一方の開口端２Ａを形成する複数の六角筒２１，２１…の一方の筒開口端を塞ぐように、一方の面板３Ａの内面（一方の板面）３２とハニカムコア２の一方の開口端２Ａとが図外の接着剤により接着されるとともに、ハニカムコア２の他方の開口端２Ｂを形成する複数の六角筒２１，２１…の他方の筒開口端を塞ぐように、他方の面板３Ｂの内面（一方の板面）３２とハニカムコア２の他方の開口端２Ｂとが図外の接着剤により接着されてハニカムパネルが構成される。即ち、ハニカムコア２を面板３Ａ，３Ｂで挟んだ状態でこれら表面板となる面板３Ａ，３Ｂと芯材となるハニカムコア２とが図外の接着剤で圧着されることによりハニカムパネルが製造されている。
【００１０】
上述したハニカムパネルの一方の面板３Ａの外表面（他方の板面）３１に建材４を図外の接着剤で接着することにより、ハニカムパネル建材が構成される。当該建材４は、例えば、石、金属等の無機質系材料により形成された外壁材、床仕上げ材、内装仕上げ材等となる建材である。
【００１１】
上述したハニカムパネル建材の他方の面板３Ｂの外表面（他方の板面）３１から当該他方の面板３Ｂ及びハニカムコア２を貫通して一方の面板３Ａの内面（一方の板面）３２に到達する有底のインサート設置穴６を形成した後、このインサート設置穴６内にインサート５を設置して接着剤７により当該インサート５をインサート設置穴６に固定することにより、インサート付きハニカムパネル建材１が製造される。
インサート設置穴６は、他方の面板３Ｂを貫通する貫通孔６１と当該貫通孔６１と連続するようにハニカムコア２に形成された有底穴６２とで構成される（図３参照）。
【００１２】
インサート５は、例えば、インサートナット５Ａを用いる。当該インサートナット５Ａは、例えば、円筒形ナット５１と、円筒形ナット５１の筒の一端側に設けられた台座となる円形フランジ５２とを備えた構成である。即ち、円筒形ナット５１と、円筒形ナット５１の筒の一端開口を塞いで筒の外周面より突出する大きさの円形フランジ５２を備えた構成である。当該インサートナット５Ａの円形フランジ５２の外底面は、円筒形ナット５１の中心軸と直交する台座５３に形成されている。
インサート設置穴６の穴径は、インサートナット５Ａの円形フランジ５２の径よりも若干（数ｍｍ程度）大きい径寸法に形成される。
【００１３】
従って、例えば、インサートナット５Ａの円筒形ナット５１の中心軸とインサート設置穴６の中心軸とが一致するように、インサートナット５Ａの台座５３に接着剤を塗布した状態で当該台座５３をインサート設置穴６の底面を形成する一方の面板３Ａの内面（一方の板面）３２に載置してインサートナット５Ａをインサート設置穴６内に設置した後、インサート設置穴６内に接着剤７を充填する。当該充填された接着剤７により、インサートナット５Ａがインサート設置穴６内に固定されることによって、インサート付きハニカムパネル建材１が構成される（図１，図２参照）。即ち、インサート設置穴６内に設置されたインサートナット５Ａの台座５３が一方の面板３Ａに載置された状態で当該インサートナット５Ａがインサート設置穴６に固定されている。
この場合、円筒形ナット５１の中心軸と直交する台座５３が一方の面板３Ａの内面３２に設置されることにより、円筒形ナット５１の中心軸が面板３Ａ，３Ｂと直交する状態となり、例えば、インサートナット５Ａに締結される連結部材９としてのボルト９Ａ（図４参照）が面板３Ａ，３Ｂと直交する状態に正確に取付けられるようになるため、複数の胴縁（横材）１１，１１…により形成される下地面１５に対して面板３Ａ，３Ｂが平行になるように精度良く取付けられることになり、下地部８に対する取付精度を高くできるインサート付きハニカムパネル建材１となる。
【００１４】
四角板状（直方体形状）のハニカムパネル建材の裏側の４つの角部にインサートナット５Ａを設けて構成されたインサート付きハニカムパネル建材１を用いた建物の外壁構造例を図４に示す。
図４に示すように、まず、所定間隔を隔てて複数のスタッド（縦材）１０，１０…を設置し、これら複数のスタッド（下地柱）１０，１０…を横切るように複数のスタッド１０，１０…の上下方向（紙面と直交する方向）に所定間隔を隔てて複数の胴縁（横材）１１，１１…を取付けることによって、複数のスタッド１０，１０…と複数の胴縁１１，１１…とによる下地部８を構築する。
そして、インサート付きハニカムパネル建材１のインサートナット５Ａの位置に合うように胴縁１１にボルト挿入孔１２を形成し、インサート付きハニカムパネル建材１のインサートナット５Ａの位置と胴縁１１に設けられたボルト挿入孔１２とを合致させた状態で連結部材９としてのボルト９Ａを胴縁１１の裏側からボルト挿入孔１２に挿入してインサート付きハニカムパネル建材１のインサートナット５Ａに締結することにより、インサート付きハニカムパネル建材１が胴縁１１に取付けられる。このように複数の胴縁１１，１１…により形成された下地面１５にインサート付きハニカムパネル建材１を互いに隣り合うように取り付けていき、互いに隣り合うように取付けられたインサート付きハニカムパネル建材１とインサート付きハニカムパネル建材１との間隔である目地にコーキング１３を充填する。
以上により、互いに隣り合うように取付けられた複数のインサート付きハニカムパネル建材１，１…の建材４による外壁が構成されることになる。
実施形態のインサート付きハニカムパネル建材１によれば、連結部材９としてのボルト９Ａとインサート５としてのインサートナット５Ａとが締結されることにより、下地部８への取付強度を向上させることができる。
【００１５】
尚、上記では、インサート５としてインサートナット５Ａを例示したが、インサート５は、連結部材９としてのナットを締結させるために他方の面板３Ｂの外表面３１から突出するように設けられたインサートボルト、連結部材９としての係合溝に係合させるために他方の面板３Ｂの外表面３１から突出するように設けられた係合部、連結部材９としての係合部に係合させるための係合溝、連結部材９としての嵌合孔部に嵌合させるために他方の面板３Ｂの外表面３１から突出するように設けられた軸（ピン）、連結部材９としての軸（ピン）に嵌合させるための嵌合孔等であってもよい。嵌合孔に軸を嵌合させる構造の場合、接着剤を用いて嵌合孔と軸を嵌合させることが好ましい。
また、インサート５の材質は特に限定されず、例えば、金属、樹脂等で形成されたものであればよい。
【００１６】
また、ハニカムコア２は、互いに隣り合う例えば断面多角形状の複数の多角筒により構成されたハニカム構造体であっても良いし、また、互いに隣り合う例えば断面円形形状の複数の円筒により構成されたハニカム構造体であっても良い。
【００１７】
また、ハニカムパネル建材に対するインサートの設置位置、及び、数は、特に限定されない。
また、インサート付きハニカムパネル建材１の形状も特に限定されない。
例えば、上述したように四角板状のハニカムパネル建材の裏面の４つの角部にインサートを設けたインサート付きハニカムパネル建材１としてもよいし、三角板状のハニカムパネル建材の裏面の４つの角部にインサートを設けたインサート付きハニカムパネル建材１としてもよいし、丸板状のハニカムパネル建材の裏面の周縁部に所定間隔を隔ててインサートを設けたインサート付きハニカムパネル建材１としてもよい。
【符号の説明】
【００１８】
１  インサート付きハニカムパネル建材、２  ハニカムコア、３Ａ  一方の面板、
３Ｂ  他方の面板、４  建材、５  インサート、６  インサート設置穴、７  接着剤、
３１  一方の面板の外表面、５３  インサートの台座。
【図１】
0003204812.tif 000003
【図２】
0003204812.tif 000004
【図３】
0003204812.tif 000005
【図４】
0003204812.tif 000006